【手続補正書】
【提出日】平成18年5月24日(2006.5.24)
【手続補正１】
【補正対象書類名】特許請求の範囲
【補正対象項目名】全文
【補正方法】変更
【補正の内容】
【特許請求の範囲】
【請求項１】
ビデオカメラと外部記録装置を接続したビデオカメラシステムであって、
前記ビデオカメラは、
アナログ映像データをディジタル映像データに変換するＡ／Ｄ変換手段と、
前記ディジタル映像データから圧縮映像データを生成する圧縮手段と、
前記圧縮映像データから前記ディジタル映像データを生成する伸張手段と、
前記圧縮映像データを記録する記録手段と、
前記記録手段へ前記圧縮映像データの書き込み又は前記記録手段から前記圧縮映像データの読み出しを制御する制御手段と、
前記読み出された圧縮映像データを前記外部記録装置へ出力し、前記外部記録装置から圧縮映像データを入力するするディジタル信号入出力手段と、
前記伸張手段にて生成されたディジタル映像データをアナログ映像データに変換するＤ／Ａ変換手段と、
前記外部記録装置へアナログ映像データを出力するテレビ信号出力手段と、
を備え、
前記外部記録装置は、
入力した圧縮映像データを記録する記録手段と、
前記記録手段へ前記圧縮映像データの書き込み又は前記記録手段から前記圧縮映像データの読み出しを制御する制御手段と、
前記ビデオカメラのディジタル信号入出力手段から出力された圧縮映像データを入力し、前記読み出された圧縮映像データを前記ビデオカメラのディジタル信号入出力手段に出力する第１のディジタル信号入出力手段と、
前記ビデオカメラのテレビ信号出力手段から出力されたアナログ映像データを入力する第１のテレビ信号入力手段と、
外部の機器から出力された圧縮映像データを入力し、前記制御手段により前記記録手段から読み出された圧縮映像データを外部の機器に出力する第２のディジタル信号入出力手段と、
アナログ映像データを外部の機器に出力する第２のテレビ信号出力手段と、
を備え、
前記外部記録装置は、前記第１のディジタル信号入出力手段又は前記第２のディジタル信号入出力手段から入力した圧縮画像データを前記外部記録装置の記録手段に書き込むように制御し、前記ビデオカメラと外部の機器の間で前記圧縮映像データの双方向伝送を可能にし、かつ前記ビデオカメラから外部の機器へ前記アナログ映像データの伝送を可能にすることを特徴とするビデオカメラシステム。
【請求項２】
ビデオカメラと外部記録装置を接続したビデオカメラシステムであって、
前記ビデオカメラは、
アナログ映像データをディジタル映像データに変換するＡ／Ｄ変換手段と、
前記ディジタル映像データから圧縮映像データを生成する圧縮手段と、
前記圧縮映像データから前記ディジタル映像データを生成する伸張手段と、
前記圧縮映像データを記録する記録手段と、
前記記録手段へ前記圧縮映像データの書き込み又は前記記録手段から前記圧縮映像データの読み出しを制御する制御手段と、
前記読み出された圧縮映像データを前記外部記録装置へ出力し、前記外部記録装置から圧縮映像データを入力するするディジタル信号入出力手段と、
前記伸張手段にて生成されたディジタル映像データをアナログ映像データに変換するＤ／Ａ変換手段と、
前記外部記録装置へアナログ映像データを出力するテレビ信号出力手段と、
前記外部記録装置からアナログ映像データを入力するテレビ信号出力手段と、
を備え、
前記外部記録装置は、
入力した圧縮映像データを記録する記録手段と、
前記記録手段へ前記圧縮映像データの書き込み又は前記記録手段から前記圧縮映像データの読み出しを制御する制御手段と、
前記ビデオカメラのディジタル信号入出力手段から出力された圧縮映像データを入力し、前記読み出された圧縮映像データを前記ビデオカメラのディジタル信号入出力手段に出力する第１のディジタル信号入出力手段と、
前記ビデオカメラのテレビ信号出力手段から出力されたアナログ映像データを入力する第１のテレビ信号入力手段と、
アナログ映像データを前記ビデオカメラのテレビ信号入力手段に出力する第１のテレビ信号出力手段と、
外部の機器から出力された圧縮映像データを入力し、前記制御手段により前記記録手段から読み出された圧縮映像データを外部の機器に出力する第２のディジタル信号入出力手段と、
アナログ映像データを外部の機器に出力する第２のテレビ信号出力手段と、
外部の機器から出力されたアナログ映像データを入力する第２のテレビ信号入力手段と、
を備え、
前記外部記録装置は、前記第１のディジタル信号入出力手段又は前記第２のディジタル信号入出力手段から入力した圧縮画像データを前記外部記録装置の記録手段に書き込むように制御し、前記ビデオカメラと外部の機器の間で前記圧縮映像データ及び前記アナログ映像データの双方向伝送を可能にすることを特徴とするビデオカメラシステム。
【請求項３】
請求項１または２に記載のビデオカメラシステムにおいて、
前記外部記録装置は、前記ビデオカメラに対する電源供給手段を有していることを特徴とするビデオカメラシステム。
【請求項４】
請求項１または２に記載のビデオカメラシステムにおいて、
前記入力したアナログ映像データを出力するのは、ＴＶモニタであることを特徴とするビデオカメラシステム。
【請求項５】
請求項１または２に記載のビデオカメラシステムにおいて、
前記ビデオカメラは、バッテリ及び充電用入力端子を備え、
前記外部記録装置は、ビデオカメラのステーションであって、
充電用出力端子を備え、
前記充電用出力端子及び充電用入力端子を介して前記バッテリに充電し、前記ビデオカメラ及び前記ステーションの間は、発光素子及び受光素子又は金属端子により接続することで映像データを伝送し、ケーブル接続することなく前記充電及び前記データ伝送を行うことを特徴とするビデオカメラシステム。
【請求項６】
請求項５に記載のビデオカメラシステムにおいて、
前記ステーションは、外部の機器とケーブル接続することで前記データ伝送を行うことを特徴とするビデオカメラシステム。
【請求項７】
請求項１ないし６のいずれかに記載のビデオカメラシステムにおいて、
前記ビデオカメラは、さらに、前記圧縮手段で圧縮された圧縮映像データを通信網に送信する通信出力手段を備えることを特徴とするビデオカメラシステム。
【請求項８】
請求項１ないし７のいずれかに記載のビデオカメラシステムにおいて、
前記ビデオカメラの記録手段は、前記圧縮映像データをハードディスクに記録することを特徴とするビデオカメラシステム。
【請求項９】
請求項１または２に記載のビデオカメラシステムにおいて、
前記外部記録装置は、さらに、前記第１のディジタル信号入出力手段から入力された圧縮映像データを一時記録し、記録手段に出力するメモリ手段を備え、
前記ビデオカメラから前記外部記録装置への圧縮映像データの転送において、前記ビデオカメラにおける転送作業が、該メモリ手段が圧縮映像データを一時記録することにより、該メモリ手段がないときよりも早く終了することを特徴とするビデオカメラシステム。
【請求項１０】
ビデオカメラと外部記録装置を接続したビデオカメラシステムであって、
該ビデオカメラは、
被写体を撮像しアナログ映像データを出力する撮像手段と、
該アナログ映像データをディジタル映像データに変換するＡ／Ｄ変換手段と、
該ディジタル映像データから圧縮映像データを生成する圧縮手段と、
該圧縮映像データからディジタル映像データを生成する伸張手段と、
該圧縮映像データを第１の記録媒体に記録する記録手段と、
該記録手段へ前記圧縮映像データの書き込み又は前記記録手段から前記圧縮映像データの読み出しを制御する制御手段と、
該読み出された圧縮映像データを該外部記録装置へ出力し、該外部記録装置から圧縮映像データを入力するする第１のディジタル信号入出力手段と、
該伸張手段にて生成されたディジタル映像データをアナログ映像データに変換するＤ／Ａ変換手段と、
外部へアナログ映像データを出力する第１のテレビ信号出力手段と、
を備え、
該外部記録装置は、
該ビデオカメラの第１のディジタル信号入出力手段から圧縮映像データを入力し、該ビデオカメラの第１のディジタル信号入出力手段へ圧縮映像データを出力する第２のディジタル信号入出力手段と、
第２のディジタル信号入出力手段で入力された圧縮映像データを一時記録し、出力するメモリ手段と、
該メモリ手段から出力された圧縮映像データを第２の記録媒体に記録する記録手段と、
該メモリ手段および該記録手段への該圧縮映像データの書き込み又は読み出しを制御する制御手段と、
を備え、
前記ビデオカメラから前記外部記録装置への圧縮映像データの転送において、前記ビデオカメラにおける転送作業が、該メモリ手段が圧縮映像データを一時記録することにより、該メモリ手段がないときよりも早く終了することを特徴とするビデオカメラシステム。
【請求項１１】
請求項１０において、
前記第１の記録媒体と前記メモリ手段とは半導体メモリであり、
前記第２の記録媒体はハードディスクであること
を特徴とするビデオカメラシステム。
【請求項１２】
ディジタル信号入出力手段と、該ディジタル信号入出力手段で入力された圧縮映像データを一時記録し、出力するメモリ手段と、該メモリ手段から出力された圧縮映像データを第２の記録媒体に記録する記録手段と、該メモリ手段および該記録手段への該圧縮映像データの書き込みを制御する制御手段と、を有する外部記録装置と接続可能なビデオカメラであって、
被写体を撮像しアナログ映像データを出力する撮像手段と、
該アナログ映像データをディジタル映像データに変換するＡ／Ｄ変換手段と、
該ディジタル映像データから圧縮映像データを生成する圧縮手段と、
該圧縮映像データからディジタル映像データを生成する伸張手段と、
該圧縮映像データを第１の記録媒体に記録する記録手段と、
該記録手段へ前記圧縮映像データの書き込み又は前記記録手段から前記圧縮映像データの読み出しを制御する制御手段と、
該読み出された圧縮映像データを該外部記録装置へ出力し、該外部記録装置から圧縮映像データを入力するする第１のディジタル信号入出力手段と、
該伸張手段にて生成されたディジタル映像データをアナログ映像データに変換するＤ／Ａ変換手段と、
外部へアナログ映像データを出力する第１のテレビ信号出力手段と、
を備え、
前記ビデオカメラから前記外部記録装置への圧縮映像データの転送において、前記ビデオカメラにおける転送作業が、該メモリ手段が圧縮映像データを一時記録することにより、該メモリ手段がないときよりも早く終了することを特徴とするビデオカメラ。
【請求項１３】
請求項１２において、
前記第１の記録媒体と前記メモリ手段とは半導体メモリであり、
前記第２の記録媒体はハードディスクであること
を特徴とするビデオカメラ。
【請求項１４】
被写体を撮像しアナログ映像データを出力する撮像手段と、該アナログ映像データをディジタル映像データに変換するＡ／Ｄ変換手段と、該ディジタル映像データから圧縮映像データを生成する圧縮手段と、該圧縮映像データを第１の記録媒体に記録する記録手段と、該記録手段への前記圧縮映像データの書き込み又は読み出しを制御する制御手段と、該読み出された圧縮映像データを出力する第１のディジタル信号入出力手段と、を備えるビデオカメラと接続可能な外部記録装置であって、
該ビデオカメラの第１のディジタル信号入出力手段から圧縮映像データを入力し、該ビデオカメラの第１のディジタル信号入出力手段へ圧縮映像データを出力する第２のディジタル信号入出力手段と、
第２のディジタル信号入出力手段で入力された圧縮映像データを一時記録し、出力するメモリ手段と、
該メモリ手段から出力された圧縮映像データを第２の記録媒体に記録する記録手段と、
該メモリ手段および該記録手段への該圧縮映像データの書き込み又は読み出しを制御する制御手段と、
を備え、
前記ビデオカメラから前記外部記録装置への圧縮映像データの転送において、前記ビデオカメラにおける転送作業が、該メモリ手段が圧縮映像データを一時記録することにより、該メモリ手段がないときよりも早く終了することを特徴とする外部記録装置。
【請求項１５】
請求項１４において、
前記第１の記録媒体と前記メモリ手段とは半導体メモリであり、
前記第２の記録媒体はハードディスクであること
を特徴とする外部記録装置。
【請求項１６】
被写体を撮像しアナログ映像データを出力する撮像手段と、
該アナログ映像データをディジタル映像データに変換するＡ／Ｄ変換手段と、
該ディジタル映像データから圧縮映像データを生成する圧縮手段と、
該圧縮映像データからディジタル映像データを生成する伸張手段と、
該圧縮映像データを第１の記録媒体に記録する記録手段と、
該記録手段へ前記圧縮映像データの書き込み又は前記記録手段から前記圧縮映像データの読み出しを制御する制御手段と、
該読み出された圧縮映像データを該外部記録装置へ出力し、該外部記録装置から圧縮映像データを入力するする第１のディジタル信号入出力手段と、
該伸張手段にて生成されたディジタル映像データをアナログ映像データに変換するＤ／Ａ変換手段と、
外部へアナログ映像データを出力する第１のテレビ信号出力手段と、
前記圧縮手段で圧縮された圧縮映像データを通信網に送信する通信出力手段と、
を備えることを特徴とするビデオカメラ。